(57)【要約】【課題】カード店頭即時発行装置で正常にエンコードできたかを容易に信頼性が高く確認できる。【解決手段】ＩＣ／磁気発行ユニットと第１不良カード格納場所とエンコード確認ユニットと第２不良カード格納場所とを内蔵し、  ＩＣ／磁気発行ユニットは、ＩＣリーダライタ、磁気リーダライタのいずれか、又は両方を有し、これらリーダライタで生カードにエンコードデータをエンコードし、エンコードに成功した生カードをエンコード確認ユニット送り、エンコードに失敗した生カードを第１不良カード格納場所に格納し、  エンコード確認ユニットは、ＩＣリーダ、磁気リーダのいずれか、又は両方を有し、エンコードに成功した生カードを受け取り、この生カードから、これらリーダで、エンコードデータを読み込んで、正常にエンコードできたかを確認し、正常にエンコードできなかったことを確認した生カードを第２不良カード格納場所に格納するカード店頭即時発行装置。【選択図】図１
2014235489.tif 000002
【特許請求の範囲】
【請求項１】
ＩＣ／磁気発行ユニットと、第１不良カード格納場所と、エンコード確認ユニットと、第２不良カード格納場所とを内蔵し、
ＩＣ／磁気発行ユニットは、ＩＣリーダライタ、磁気リーダライタのいずれか、又は両方を有し、これらリーダライタで生カードにエンコードデータをエンコードし、エンコードに成功した生カードをエンコード確認ユニットに送り、エンコードに失敗した生カードを第１不良カード格納場所に格納し、
エンコード確認ユニットは、ＩＣリーダ、磁気リーダのいずれか、又は両方を有し、エンコードに成功した生カードを受け取り、この生カードから、これらリーダで、エンコードデータを読み込んで、正常にエンコードできたかを確認し、正常にエンコードできなかったことを確認した生カードを第２不良カード格納場所に格納することを特徴とするカード店頭即時発行装置。
【請求項２】
ＩＣ／磁気発行ユニットと、第１不良カード格納場所と、エンコード確認ユニットと、第２不良カード格納場所とを内蔵し、ＩＣ／磁気発行ユニットは、ＩＣリーダライタ、磁気リーダライタのいずれか、又は両方を有し、エンコード確認ユニットは、ＩＣリーダ、磁気リーダのいずれか、又は両方を有するカード店頭即時発行装置が実行する方法であって、
ＩＣ／磁気発行ユニットが、このＩＣ／磁気発行ユニットが有するリーダライタで生カードにエンコードデータをエンコードし、エンコードに成功した生カードをエンコード確認ユニットに送り、エンコードに失敗した生カードを第１不良カード格納場所に格納する工程と、
エンコード確認ユニットが、エンコードに成功した生カードを受け取り、この生カードから、このエンコード確認ユニットが有するリーダで、エンコードデータを読み込んで、正常にエンコードできたかを確認し、正常にエンコードできなかったことを確認した生カードを第２不良カード格納場所に格納する工程とを含むことを特徴とするカード店頭即時発行方法。
【請求項３】
ＩＣ／磁気発行ユニットと、第１不良カード格納場所と、エンコード確認ユニットと、第２不良カード格納場所とを内蔵し、ＩＣ／磁気発行ユニットは、ＩＣリーダライタ、磁気リーダライタのいずれか、又は両方を有し、エンコード確認ユニットは、ＩＣリーダ、磁気リーダのいずれか、又は両方を有するカード店頭即時発行装置に、
ＩＣ／磁気発行ユニットが、このＩＣ／磁気発行ユニットが有するリーダライタで生カードにエンコードデータをエンコードし、エンコードに成功した生カードをエンコード確認ユニットに送り、エンコードに失敗した生カードを第１不良カード格納場所に格納する工程と、
エンコード確認ユニットが、エンコードに成功した生カードを受け取り、この生カードから、このエンコード確認ユニットが有するリーダで、エンコードデータを読み込んで、正常にエンコードできたかを確認し、正常にエンコードできなかったことを確認した生カードを第２不良カード格納場所に格納する工程とを実行させることを特徴とするカード店頭即時発行アプリケーションプログラム。
【発明の詳細な説明】
【技術分野】
【０００１】
本発明は、カード店頭即時発行装置、方法、及びアプリケーションプログラムに関する。
【背景技術】
【０００２】
従来から、店頭でクレジットカード又はキャッシュカード等のカードの発行申込を受け付け、即時に、生カードのＩＣチップ、磁気ストライプのいずれか、又は両方にデータを書き込み、さらに、表面に印字して、クレジットカード又はキャッシュカード等のカードを発行するカード店頭即時発行装置が知られている（例えば特許文献１〜３参照）。
【０００３】
ここで、生カードとは、ＩＣチップ、磁気ストライプのいずれか、或いは両方を有し、ＩＣチップ、磁気ストライプのいずれもデータの書き込みがなされず、かつ、表面の印字がなされていない未発行のカードのことである。
【０００４】
ＩＣチップを有するカードのことをＩＣカード、磁気ストライプのみを有しＩＣチップがないカードのことを磁気カードとも云う。
【０００５】
生カードのＩＣチップ、磁気ストライプのいずれか、又は両方にデータを書き込むことをエンコード、このデータをエンコードデータとも云い、特に、生カードのＩＣチップにデータを書き込むことをＩＣエンコード、生カードの磁気ストライプにデータを書き込むことを磁気エンコードとも云う。
【０００６】
ところで、従来、カード店頭即時発行装置には、ＩＣリーダライタ又は磁気リーダライタのいずれか、或いは両方の搭載はなされていたが、正常にＩＣ又は磁気エンコードできたかを確認するには、装置からカードが排出された後に別のＩＣリーダ又は磁気リーダを用いる必要があった。
【０００７】
或いは、カードの排出前に正常にＩＣ又は磁気エンコードできたかを確認する場合には、エンコードに使用した装置内部のＩＣリーダライタ又は磁気リーダライタで再度読み込むしかなかった。
【０００８】
このように、上述の装置からカードが排出された後に正常にＩＣ又は磁気エンコードできたかを確認する方法では、装置の外部に別途ＩＣリーダ、磁気リーダを用意する必要があった。工場などの製造現場では機器が増えても大きな問題はないが、カード店頭即時発行装置は、店舗という限られたスペース内に設置されるものであり、操作に慣れないオペレータの負担減を考慮しなければならないため、機器が増えることは避ける必要があった。また、習熟していない人の手を介することでミスの可能性もあった。
【０００９】
他方、上述のカードの排出前に正常にＩＣ又は磁気エンコードできたかを確認する方法では、装置の外部に別途ＩＣリーダ、磁気リーダを用意する必要はなかったが、エンコードに使用したＩＣリーダライタ、磁気リーダライタでの確認では、これらのリーダライタそのものに何らかの問題がある場合には、必ずしもダブルチェックとはならず信頼性が落ちるものになった。
【先行技術文献】
【特許文献】
【００１０】
【特許文献１】特開２００２−２４９２０号公報
【特許文献２】特開２００３−２０３２０７号公報
【特許文献３】実用新案登録第３１４２９２８号公報
【発明の概要】
【発明が解決しようとする課題】
【００１１】
本発明は、このような事情を考慮してなされたもので、カード店頭即時発行装置で正常にエンコードできたかを容易に信頼性が高く確認できることを課題とする。
【課題を解決するための手段】
【００１２】
本発明において上記課題を解決するために、まず請求項１の発明では、
ＩＣ／磁気発行ユニットと、第１不良カード格納場所と、エンコード確認ユニットと、第２不良カード格納場所とを内蔵し、
ＩＣ／磁気発行ユニットは、ＩＣリーダライタ、磁気リーダライタのいずれか、又は両方を有し、これらリーダライタで生カードにエンコードデータをエンコードし、エンコードに成功した生カードをエンコード確認ユニットに送り、エンコードに失敗した生カードを第１不良カード格納場所に格納し、
エンコード確認ユニットは、ＩＣリーダ、磁気リーダのいずれか、又は両方を有し、エンコードに成功した生カードを受け取り、この生カードから、これらリーダで、エンコードデータを読み込んで、正常にエンコードできたかを確認し、正常にエンコードできなかったことを確認した生カードを第２不良カード格納場所に格納することを特徴とするカード店頭即時発行装置としたものである。
【００１３】
また請求項２の発明では、
ＩＣ／磁気発行ユニットと、第１不良カード格納場所と、エンコード確認ユニットと、第２不良カード格納場所とを内蔵し、ＩＣ／磁気発行ユニットは、ＩＣリーダライタ、磁気リーダライタのいずれか、又は両方を有し、エンコード確認ユニットは、ＩＣリーダ、磁気リーダのいずれか、又は両方を有するカード店頭即時発行装置が実行する方法であって、
ＩＣ／磁気発行ユニットが、このＩＣ／磁気発行ユニットが有するリーダライタで生カードにエンコードデータをエンコードし、エンコードに成功した生カードをエンコード確認ユニットに送り、エンコードに失敗した生カードを第１不良カード格納場所に格納する工程と、
エンコード確認ユニットが、エンコードに成功した生カードを受け取り、この生カードから、このエンコード確認ユニットが有するリーダで、エンコードデータを読み込んで、正常にエンコードできたかを確認し、正常にエンコードできなかったことを確認した生カードを第２不良カード格納場所に格納する工程とを含むことを特徴とするカード店頭即時発行方法としたものである。
【００１４】
また請求項３の発明では、ＩＣ／磁気発行ユニットと、第１不良カード格納場所と、エンコード確認ユニットと、第２不良カード格納場所とを内蔵し、ＩＣ／磁気発行ユニットは、ＩＣリーダライタ、磁気リーダライタのいずれか、又は両方を有し、エンコード確認ユニットは、ＩＣリーダ、磁気リーダのいずれか、又は両方を有するカード店頭即時発行装置に、
ＩＣ／磁気発行ユニットが、このＩＣ／磁気発行ユニットが有するリーダライタで生カードにエンコードデータをエンコードし、エンコードに成功した生カードをエンコード確認ユニットに送り、エンコードに失敗した生カードを第１不良カード格納場所に格納する工程と、
エンコード確認ユニットが、エンコードに成功した生カードを受け取り、この生カードから、このエンコード確認ユニットが有するリーダで、エンコードデータを読み込んで、正常にエンコードできたかを確認し、正常にエンコードできなかったことを確認した生カードを第２不良カード格納場所に格納する工程とを実行させることを特徴とするカード店頭即時発行アプリケーションプログラムとしたものである。
【発明の効果】
【００１５】
本発明では、店頭という限られたスペースに置かれる性質のカード店頭即時発行装置に、正常にエンコードできたかを確認するためのリーダを内蔵することで、省スペースを実現するとともに、カード発行のオペレーションの中で、一度の操作で、正常にエンコードできかの確認までできるようになる。
【００１６】
また、本発明では、エンコードのためのリーダライタとは異なるリーダで、正常にエンコードできたかを確認しているために、二重のチェックを実現しており、エンコードの信頼性が高まる。
【００１７】
また、エンコードに失敗した生カードを第１不良カード格納場所に格納し、正常にエンコードできなかったことを確認した生カードを第１不良カード格納場所に格納するので、不良カードの原因追及が容易になる。
【００１８】
以上、本発明は、カード店頭即時発行装置で正常にエンコードできたかを容易に信頼性が高く確認できるという効果がある。
【図面の簡単な説明】
【００１９】
【図１】本発明のカード店頭即時発行装置のハードウェア構成図。
【図２】制御系基板のハードウェア構成図。
【図３】本発明のカード店頭即時発行装置が行うカード店頭即時発行処理の流れの例の前半を示すフローチャート。
【図４】本発明のカード店頭即時発行装置が行うカード店頭即時発行処理の流れの例の後半を示すフローチャート。
【発明を実施するための形態】
【００２０】
以下に、本発明の一実施形態を説明する。
【００２１】
本発明のカード店頭即時発行装置は、図１に示すように、カード保管庫と、ＩＣ／磁気発行ユニットと、第１不良カード格納場所と、エンコード確認ユニットと、第２不良カード格納場所と、印字ユニットと、制御系基板とを内蔵し、カード排出口を備える装置である。
【００２２】
カード保管庫は、生カードの保管庫である。
【００２３】
ＩＣ／磁気発行ユニットは、ＩＣリーダライタ、磁気リーダライタのいずれか、又は両方を有し、制御系基板から、ＩＣチップ用エンコードデータ、磁気ストライプ用エンコードデータのいずれか、又は両方を受信し、カード保管庫から生カードを取り出し、取り出した生カードのＩＣチップ、磁気ストライプのいずれか、又は両方に、それぞれ、ＩＣリーダライタ、磁気リーダライタのいずれか、又は両方で、ＩＣチップ用エンコードデータ、磁気ストライプ用エンコードデータのいずれか、又は両方をエンコードして、エンコードに成功した場合、エンコード確認ユニットに送り、エンコードに失敗した場合、第１不良格納場所に格納する装置である。
【００２４】
第１不良カード格納場所は、エンコードに失敗した結果生じた不良カードを格納する場所である。
【００２５】
エンコード確認ユニットは、ＩＣリーダ、磁気リーダのいずれか、又は両方を有し、ＩＣ／磁気発行ユニットから、エンコードに成功した生カードを受け取り、制御系基板から、ＩＣチップ用エンコードデータ、磁気ストライプ用エンコードデータのいずれか、又は両方を受信し、エンコードに成功した生カードのＩＣチップ、磁気ストライプのいずれか、又は両方から、それぞれ、ＩＣリーダ、磁気リーダのいずれか、又は両方で、ＩＣチップ用エンコードデータ、磁気ストライプ用エンコードデータのいずれか、又は両方を読み込み、読み込んだ、ＩＣチップ用エンコードデータ、磁気ストライプ用エンコードデータのいずれか、又は両方を、それぞれ、受信した、ＩＣチップ用エンコードデータ、磁気ストライプ用エンコードデータのいずれか、又は両方と照合し、全てのエンコードデータが一致したかで、正常にエンコードできたかを確認して、正常にエンコードできたことを確認した場合、印字ユニットに送り、正常にエンコードできなかったことを確認した場合、第２不良箇所に格納する装置である。
【００２６】
第２不良カード格納場所は、正常にエンコードできなかったことを確認した結果生じた不良カードを格納する場所である。
【００２７】
印字ユニットは、エンコード確認ユニットから正常にエンコードできたことを確認した生カードを受け取り、制御系基板から印字用データを受信し、受け取ったカードの表面に、受信した印字用データを印字して、カードを発行し、発行したカードをカード排出口から排出する装置である。
【００２８】
カード排出口は、発行したカードを、カード店頭即時発行装置の外部に排出する口である。
【００２９】
制御系基板は、図２に示すように、中央処理装置、主記憶装置、補助記憶装置、入力装置、表示装置、通信装置を備え、補助記憶装置にはカード店頭即時発行アプリケーションプログラムが記憶され（図示せず）、カード店頭即時発行アプリケーションプログラムが主記憶装置にロードされて中央処理装置によって実行されることで、入力装置で入力されたカード発行申込のデータを、通信装置で通信回線を介してサーバに送信し、サーバから、このデータに基づいて作成された、ＩＣチップ用エンコードデータ、磁気ストライプ用エンコードデータのいずれか、又は両方と、印字用データとからなるカード発行データを通信装置で通信回線を介して受信し、このカード発行データに基づいて、ＩＣ／磁気発行ユニット、エンコード確認ユニット、印字ユニットを制御して、カードの発行を行う装置である。
【００３０】
以下に、本発明のカード店頭即時発行装置が行うカード店頭即時発行処理の流れの例を、図３及び図４のフローチャートに従って説明する。
【００３１】
Ｓ（ＳＴＥＰ）１；
オペレータは、制御系基板の入力装置で、カード発行申込のデータを入力する。
【００３２】
Ｓ（ＳＴＥＰ）２；
制御系基板の中央処理装置は、カード発行申込のデータを主記憶装置に記憶する。
【００３３】
Ｓ（ＳＴＥＰ）３；
制御系基板の中央処理装置は、主記憶装置からカード発行申込のデータを通信装置で通信回線を介してサーバに送信する。
【００３４】
Ｓ（ＳＴＥＰ）４；
制御系基板の中央処理装置は、サーバから、カード発行申込のデータに基づいて作成された、ＩＣチップ用エンコードデータ、磁気ストライプ用エンコードデータのいずれか、又は両方と、印字用データとからなるカード発行データを通信装置で通信回線を介して受信して主記憶装置に記憶する。
【００３５】
Ｓ（ＳＴＥＰ）５；
制御系基板の中央処理装置は、主記憶装置から、ＩＣチップ用エンコードデータ、磁気ストライプ用エンコードデータのいずれか、又は両方を、ＩＣ／磁気発行ユニットに送信する。
【００３６】
Ｓ（ＳＴＥＰ）６；
ＩＣ／磁気発行ユニットは、制御系基板から、ＩＣチップ用エンコードデータ、磁気ストライプ用エンコードデータのいずれか、又は両方を受信する。
【００３７】
Ｓ（ＳＴＥＰ）７；
ＩＣ／磁気発行ユニットは、カード保管庫から生カードを取り出す。
【００３８】
Ｓ（ＳＴＥＰ）８；
ＩＣ／磁気発行ユニットは、生カードのＩＣチップ、磁気ストライプのいずれか、又は両方に、それぞれ、ＩＣチップ用エンコードデータ、磁気ストライプ用エンコードデータのいずれか、又は両方をエンコードする。
【００３９】
Ｓ（ＳＴＥＰ）９；
エンコードに失敗した場合、ＳＴＥＰ１０に進み、
エンコードに成功した場合、ＳＴＥＰ１２に進む。
【００４０】
Ｓ（ＳＴＥＰ）１０；
ＩＣ／磁気発行ユニットは、エンコードに失敗した結果生じた不良カードを、第１不良カード格納場所に格納し、制御系基板に、エンコードが失敗したことを送信する。
【００４１】
Ｓ（ＳＴＥＰ）１１；
制御系基板の中央処理装置は、エンコードが失敗したことを受信して、表示装置で表示し、ＥＮＤに進む。
【００４２】
Ｓ（ＳＴＥＰ）１２；
ＩＣ／磁気発行ユニットは、エンコードに成功した生カードをエンコード確認ユニットに送るとともに、制御系基板にエンコードが成功したことを送信する。
【００４３】
Ｓ（ＳＴＥＰ）１３；
制御系基板の中央処理装置は、ＩＣ／磁気発行ユニットから、エンコードが成功したことを受信すると、主記憶装置から、ＩＣチップ用エンコードデータ、磁気ストライプ用エンコードデータのいずれか、又は両方を、エンコード確認ユニットに送信する。
【００４４】
Ｓ（ＳＴＥＰ）１４；
エンコード確認ユニットは、ＩＣ／磁気発行ユニットから、エンコードに成功した生カードを受け取るとともに、制御系基板から、ＩＣチップ用エンコードデータ、磁気ストライプ用エンコードデータのいずれか、又は両方を受信する。
【００４５】
Ｓ（ＳＴＥＰ）１５；
エンコード確認ユニットは、エンコードに成功した生カードのＩＣチップ、磁気ストライプのいずれか、又は両方から、それぞれ、ＩＣチップ用エンコードデータ、磁気ストライプ用エンコードデータのいずれか、又は両方を読み込み、読み込んだ、ＩＣチップ用エンコードデータ、磁気ストライプ用エンコードデータのいずれか、又は両方を、それぞれ、受信した、ＩＣチップ用エンコードデータ、磁気ストライプ用エンコードデータのいずれか、又は両方と照合し、全てのエンコードデータで一致するかで、正常にエンコードできたかを確認する。
【００４６】
Ｓ（ＳＴＥＰ）１６；
正常にエンコードできなかったことを確認した場合、ＳＴＥＰ１７に進み、
正常にエンコードできたことを確認した場合、ＳＴＥＰ１９に進む。
【００４７】
Ｓ（ＳＴＥＰ）１７：
エンコード確認ユニットは、正常にエンコードできなかったことを確認した結果生じた不良カードを、第２不良カード格納場所に格納するとともに、正常にエンコードできなかったことを確認したことを制御系基板に送信する。
【００４８】
Ｓ（ＳＴＥＰ）１８；
制御系基板の中央処理装置は、正常にエンコードできなかったことを確認したことを受信して、表示装置で表示し、ＥＮＤに進む。
【００４９】
Ｓ（ＳＴＥＰ）１９：
エンコード確認ユニットは、正常にエンコードできたことを確認した生カードを印字ユニットに送るとともに、制御系基板に正常にエンコードできたことを確認したことを送信する。
【００５０】
Ｓ（ＳＴＥＰ）２０；
制御系基板の中央処理装置は、エンコード確認ユニットから、正常にエンコードできたことを確認したことを受信すると、主記憶装置から、印字用データを、印字ユニットに送信する。
【００５１】
Ｓ（ＳＴＥＰ）２１；
印字ユニットは、エンコード確認ユニットから、正常にエンコードされたことを確認した生カードを受け取るとともに、制御系基板から、印字用データを受信する。
【００５２】
Ｓ（ＳＴＥＰ）２２；
印字ユニットは、正常にエンコードされたことを確認した生カードの表面に、印字用データを印字してカードを発行する。
【００５３】
Ｓ（ＳＴＥＰ）２３；
印字ユニットは、発行したカードを、カード排出口から排出する。
【００５４】
Ｓ（ＳＴＥＰ）２４；
オペレータは、カード排出口から排出されたカードを、カード発行申込者に渡す。
【図１】
2014235489.tif 000003
【図２】
2014235489.tif 000004
【図３】
2014235489.tif 000005
【図４】
2014235489.tif 000006